(57)【要約】【課題】  多様な実物キャラクター型動画像情報物のモーションと音楽と字幕とを同期させて同時に再生して鑑賞することが可能な映像情報物の再生方法を提供すること。【解決手段】  上記実物キャラクター型動画像情報物制作方法で制作された実物キャラクター型動画像情報物をコンピュータで再生する方法が提供される。この実物キャラクター型動画像情報物の再生方法は，実物キャラクター型動画像情報物をコンピュータに貯蔵する段階Ｓ７と；実物キャラクター型動画像情報物の再生のためメタファイルを読み込む段階Ｓ８と；メタファイルの情報に従って，モーション情報，オーディオ情報及び／又は字幕情報を連係させて，実物キャラクター型動画像情報物を再生する段階Ｓ９と；を含むことを特徴とする。【選択図】  図１ｂ
2005228297.tif 000002
【特許請求の範囲】
【請求項１】
コンピュータで再生されるモーション情報，オーディオ情報，字幕情報又はメッセージ情報のうち少なくとも１つ以上を含む実物キャラクター型動画像情報物を制作する方法において：
実際の人又は実物の被写体の動画像を撮像する段階と；
撮像された前記動画像から，ビットマップマスキング方式又はアルファチャンネル方式，或いはこれら２つの方式を結合した方式により，前記動画像の映像情報及び／又はアルファチャンネル情報を含むモーション情報を抽出する段階と；
前記モーション情報に同期されるＭＰ３方式のオーディオ情報，前記モーション情報の画面フレームに同期されハイパーリンク機能を有する字幕情報，メッセージ情報のうち少なくとも１つ以上を制作する段階と；
前記モーション情報，前記オーディオ情報，前記メッセージ情報，前記字幕情報のうち少なくとも１つ以上の情報を含む，或いは各々の情報を独立的に含む実物キャラクター型動画像情報物を制作する段階と；
前記実物キャラクター型動画像情報物に含まれる前記モーション情報，前記オーディオ情報，前記字幕情報及び／又は前記メッセージ情報の制作及び再生に必要な情報を含むメタファイルを制作する段階と；
を含むことを特徴とする，実物キャラクター型動画像情報物の制作方法。
【請求項２】
前記メタファイルは，前記モーション情報のクリップ情報と，同期情報と，ユーザ情報とを含み，
前記実物キャラクター型動画像情報物は，前記モーション情報のみをコンピュータで再生可能に制作されたことを特徴とする，請求項１に記載の実物キャラクター型動画像情報物の制作方法。
【請求項３】
前記ビットマップマスク方式は，
マスクされる前記動画像のデータから動的客体を抽出する機能と，前記動的客体の実際領域を各フレーム別にデータ化する機能と，領域データ及び前記動画像データを重ねることができるＶＭＰフォーマットデータ制作機能と，ＶＭＰウィンドウレンダリング機能と，イメージからインディクスカーラーによるマスキング領域を抽出して，各フレーム別に実際に表現される領域をデータ化し，前記モーション情報を再生可能な映像ファイルフォーマットに変換する機能とを含み，
前記アルファチャンネル方式は，
２４ビットＲＧＢ映像と８ビットアルファ映像とのデータ合成機能と，動的客体の実際領域を各フレーム別にデータ化する機能と，領域データ及び動画像データを重ねることができるＶＭＰフォーマットデータ制作機能と，３２ビット映像ウィンドウレンダリング機能と，イメージ輪郭のアンチエイリアシング処理機能と，前記２４ビットＲＧＢ映像と前記８ビットアルファ映像を互いに異なるチャンネルで貯蔵できる機能とを含むことを特徴とする，請求項１または２のいずれかに記載の実物キャラクター型動画像情報物の制作方法。
【請求項４】
請求項１〜３のいずれかに記載の実物キャラクター型動画像情報物の制作方法で制作された実物キャラクター型動画像情報物をコンピュータで再生する方法において：
前記実物キャラクター型動画像情報物を前記コンピュータに貯蔵する段階と；
前記実物キャラクター型動画像情報物の再生のため前記メタファイルを読み込む段階と；
前記メタファイルの情報に従って，前記モーション情報，前記オーディオ情報及び／又は前記字幕情報を連係させて，前記実物キャラクター型動画像情報物を再生する段階と；を含むことを特徴とする，実物キャラクター型動画像情報物の再生方法。
【請求項５】
前記実物キャラクター型動画像情報物は，
プログラムの開始，プログラムの終了，電子メールの受信，またはメッセージの受信を表現する通知用の実物キャラクター型動画像情報物；
各種のメッセンジャーと連動されるメッセージ実物キャラクター型動画像情報物；
ウィンアンプ等のプログラムの実行時に表現されるプラグイン実物キャラクター型動画像情報物；または，
他のプログラムとの連動なしで再生する目的で制作されたテーマクリップ又はショウクリップのモーション実物キャラクター型動画像情報物；
を含むことを特徴とする，請求項４に記載の実物キャラクター型動画像情報物の再生方法。
【請求項６】
前記電子メール又は前記メッセージの受信を，所定の時間間隔で持続的に確認する段階をさらに含むことを特徴とする，請求項５に記載の実物キャラクター型動画像情報物の再生方法。
【請求項７】
前記実物キャラクター型動画像情報物を保有しているデータベース又はサーバーに対して，有線若しくは無線のネットワークを介して，前記コンピュータを所定の時間間隔で持続的に接続する，或いは実時間に接続された状態を維持して，新しい実物キャラクター型動画像情報物をダウンロードする段階をさらに含むことを特徴とする，請求項４〜６のいずれかに記載の実物キャラクター型動画像情報物の再生方法。
【請求項８】
前記実物キャラクター型動画像情報物は，モーション情報，アルファチャンネル領域情報，オーディオ情報，メッセージ情報，字幕情報，字幕リンク情報，メタファイルのうち少なくともいずれかを含み，
前記実物キャラクター型動画像情報物に前記オーディオ情報および前記字幕情報が含まれなくとも，前記モーション情報を単独で再生可能であることを特徴とする，請求項４〜６のいずれかに記載の実物キャラクター型動画像情報物の再生方法。
【請求項９】
前記モーション情報，前記オーディオ情報，前記メッセージ情報，前記字幕情報のうち少なくとも１つ以上を含む少なくとも１つの前記実物キャラクター型動画像情報物は，各情報が相互に同期されて前記コンピュータで再生されることを特徴とする，請求項８に記載の実物キャラクター型動画像情報物の再生方法。
【請求項１０】
前記モーション実物キャラクター型動画像情報物は，
特定の個人技または見せ物を鑑賞する公演の概念に応じた前記ショウクリップ又は前記テーマクリップを含むことを特徴とする，請求項５〜９のいずれかに記載の実物キャラクター型動画像情報物の再生方法。
【請求項１１】
前記通知用の実物キャラクター型動画像情報物は，
メッセージが到着したことを知らせるメッセージ到着実物キャラクター型動画像情報物；
到着したメッセージの内容の閲覧時に，当該メッセージに対応する実物キャラクター型動画像情報物を出力するメッセージ受信実物キャラクター型動画像情報物；
前記コンピュータの起動と同時に再生プログラムが開始される時に出力されるプログラム開始実物キャラクター型動画像情報物；
前記再生プログラムの終了時に出力されるプログラム終了実物キャラクター型動画像情報物；または，
電子メールが到着したことを知らせる電子メール実物キャラクター型動画像情報物；
を含むことを特徴とする，請求項５〜１０のいずれかに記載の実物キャラクター型動画像情報物の再生方法。
【請求項１２】
前記実物キャラクター型動画像情報物の基本形態としては，
前記コンピュータのバッグラウンド画面の作業表示ラインの上部に前記実物キャラクター型動画像情報物が出力され，
前記バッグラウンド画面のいずれの箇所でも前記実物キャラクター型動画像情報物をドラッグ可能であり，
前記作業表示ラインにトレイアイコンが生成され，前記トレイアイコンがダブルクリックされたときに，前記実物キャラクター型動画像情報物の停止／再生が切り替えられ，
前記作業表示ラインの前記トレイアイコンまたは前記実物キャラクター型動画像情報物をマウスで右クリックしたときに，前記実物キャラクター型動画像情報物に関するメニューが生成され，
実物キャラクター型動画像情報物は所定の大きさで表示されることを特徴とする，請求項４〜１１のいずれかに記載の実物キャラクター型動画像情報物の再生方法。
【請求項１３】
前記モーション実物キャラクター型動画像情報物は，所定の時間にわたり動作とサウンドが共に実行され，
選択された前記モーション実物キャラクター型動画像情報物は，位置設定及び周期設定に応じて順次に出力され，
複数の前記モーション実物キャラクター型動画像情報物を多重選択できることを特徴とする，請求項５〜１２のいずれかに記載の実物キャラクター型動画像情報物の再生方法。
【請求項１４】
前記メッセージ到着実物キャラクター型動画像情報物は，所定の時間にわたり動作とサウンドが共に実行され，１つの前記実物キャラクター型動画像情報物のみを設定可能であり，
前記モーション実物キャラクター型動画像情報物が実行中ではない場合には，メッセージ到着時に，設定された前記メッセージ到着実物キャラクター型動画像情報物とともに到着メッセージが出力され，
前記モーション実物キャラクター型動画像情報物が実行中の場合には，メッセージ到着時に，前記メッセージ到着実物キャラクター型動画像情報物に対応するアイコンのみが点滅し，当該アイコンのクリック時に，前記メッセージ到着実物キャラクター型動画像情報物が出力されることを特徴とする，請求項１１〜１３のいずれかに記載の実物キャラクター型動画像情報物の再生方法。
【請求項１５】
前記メッセージ実物キャラクター型動画像情報物は，所定の時間にわたり，メッセージ内容確認時の動作を実行する実物キャラクター型動画像情報物であり，
メッセージが芸能情報の場合には，基本メッセージ実物キャラクター型動画像情報物が出力され，メッセージがアイドル情報の場合には，該当アイドルメッセージ実物キャラクター型動画像情報物が出力されることによって，選択されたメッセージに該当する実物キャラクター型動画像情報物が出力され，
前記実物キャラクター型動画像情報物再生部は，メッセージ保管箱に対してメッセージを追加または削除する機能と，メッセージについての詳細情報を有するウェブサイトにリンクされる詳細閲覧機能とを有することを特徴とする，請求項５〜１４のいずれかに記載の実物キャラクター型動画像情報物の再生方法。
【請求項１６】
前記プログラム開始実物キャラクター型動画像情報物は，前記コンピュータの起動若しくは前記再生プログラムの開始時に，選択された前記プログラム開始実物キャラクター型動画像情報物の再生が開始されて，所定の時間にわたり動作とサウンドが共に実行され，
前記プログラム終了実物キャラクター型動画像情報物は，前記再生プログラムの終了時に，所定の時間にわたり，動作とオーディオが共に実行されることを特徴とする，請求項１１〜１５のいずれかに記載の実物キャラクター型動画像情報物の再生方法。
【請求項１７】
前記電子メール実物キャラクター型動画像情報物は，電子メールの到着時に再生されて，所定の時間にわたり動作とサウンドが共に実行され，
メッセンジャー通知用の実物キャラクター型動画像情報物は，所定の時間にわたり，メッセンジャーと共に実行される実物キャラクター型動画像情報物であり，メッセンジャーの通知箱と代替されることを特徴とする，請求項１１〜１６のいずれかに記載の実物キャラクター型動画像情報物の再生方法。
【請求項１８】
前記実物キャラクター型動画像情報物は，透明度調節機能，出現位置調整機能，出現周期設定機能，電子メールチェック機能，フェードイン／アウト機能を有することを特徴とする，請求項４〜１７のいずれかに記載の実物キャラクター型動画像情報物の再生方法。
【請求項１９】
前記実物キャラクター型動画像情報物のモーション情報は，動画像の特定領域をクリップした映像情報で構成されることを特徴とする，請求項４〜１８のいずれかに記載の実物キャラクター型動画像情報物の再生方法。
【請求項２０】
前記特定実物キャラクター型動画像情報物を保有するデータベースまたはサーバーと前記コンピュータとの間でネットワークを介して通信することで，前記コンピュータに，前記特定実物キャラクター型動画像情報物に関するメッセージを，ＭＰ３ベースでオーディオ出力する，或いはＸＭＬベースで吹き出し内に表示出力することを特徴とする，請求項４〜１９のいずれかに記載の実物キャラクター型動画像情報物の再生方法。
【請求項２１】
請求項１〜３のいずれかに記載された実物キャラクター型動画像情報物が記録されていることを特徴とする，記録媒体。
【請求項２２】
請求項４〜２０のいずれかに記載された実物キャラクター型動画像情報物の再生方法を実行する再生プログラムが記録されていることを特徴とする，記録媒体。
【発明の詳細な説明】
【技術分野】
【０００１】
本発明は，映像情報（動画像情報）と，オーディオ情報と，字幕情報と，メッセージ情報等を含む実物キャラクター型動画像情報物の制作方法とその再生方法，及び実物キャラクター型動画像情報物またはその再生プログラムが記録された記録媒体に関する。
【背景技術】
【０００２】
一般的に，映像情報物（ｃｈａｒａｃｔｅｒ）は，カートンスタイルの２Ｄ（Ｔｗｏ  ｄｉｍｅｎｓｉｏｎ）或は３Ｄ（Ｔｈｒｅｅ  Ｄｉｍｅｎｓｉｏｎ）アバター（Ａｖａｔａｒ），映像情報物チャッティング，アニメーションＧＩＦ（Ａｎｉｍａｔｉｏｎ  ＧＩＦ），人工知能を有する恐竜，子犬等のバーチャル映像情報物，感性映像情報物で喜怒哀楽の感情を有する愛玩動物を育てるゲーム，モーションキャプチャー，３Ｄ実時間映像情報物アニメーションエンジン研究開発，３Ｄ映像情報物，背景制作，アニメーション（Ａｎｉｍａｔｉｏｎ）及びゲームなどで必要な自然なモーションを動作させるため，キーフレームより数倍早い速度でモーションを算出する一般的なモーションキャチャーサービスに関する技術開発が活発になされている。
【０００３】
大韓民国内で提供されているアイダンス／ＭｙＳｐｒｉｔｅ（ｈｔｔｐ：／／ｗｗｗ．ｉｄａｎｃｅ．ｃｏ．ｋｒ）サービスは，３Ｄ映像情報物でダンスを取得でき，ＭＰ３音元と，映像情報物のダンスサービスを提供する。アイダンス技術では，ＤｉｒｅｃｔＸ技術と，自体エンジンによる３Ｄ映像情報物の再生，ズーム（Ｚｏｏｍ）機能，カメラビュー移動等，３Ｄエンジンによる多様なオプションが提供される。
【０００４】
アイドルマイ又は私のコンピュータの中に生きている私のみのアイドル友達サービスでは，２Ｄ画像のアイドル映像情報物がサイバーコンパニオン（ｈｅｌｐｅｒ）役割を行い，電子メールお知らせ，日程管理等の機能が提供されている。アイドルマイの技術は，ＭｉｃｒｏＳｏｆｔ  Ａｇｅｎｔ技術基盤で，ビットマップマスキング（Ｂｉｔｍａｐ  Ｍａｓｋｉｎｇ）技術による実物映像情報物をプレーし，８ビット２５６カラーと，少ないフレーム数による少ないファイル容量と，低いイメージクオリティー（ｉｍａｇｅ  ｑｕａｌｉｔｙ）を提供する。
【０００５】
ＭＳ  Ａｇｅｎｔ（ｈｔｔｐ：／／ｗｗｗ．ｍｉｃｒｏｓｏｆｔ．ｃｏｍ／ｍｓａｇｅｎｔ／ｄｅｆａｕｌｔ．ａｓｐ）は，次世代ＯＳインタフェースを提供して，使用者の音声とテキスト等の命令を通じて対話及び命令を修得して，またはデータベースの蓄積を通じて人工知能的な要素を備えている。
【０００６】
ＭＳ  ＰＬＵＳ  Ｄａｎｃｅｒ（ｈｔｔｐ：／／ｗｗｗ．ｍｉｃｒｏｓｏｆｔ．ｃｏｍ／ｋｏｒｅａ／ｗｉｎｄｏｗｓ／ｐｌｕｓ／ｄｍｅ／ｍｕｓｉｃ．ａｓｐ）サービスでは，ウィンドウ上で，音楽鑑賞のアクセサリの概念で，パソコン上で音楽が再生される際に，専門ダンサーの按舞が実行され，ＭｉｃｒｏＳｏｆｔ  Ｗｉｎｄｏｗｓ（登録商標）  Ｍｅｄｉａ  Ｖｉｄｅｏ技術基盤としてアルファチャンネル方式によるアンチアリシング（Ａｎｔｉ−ａｌｉｓｉｎｇ）を適用して，マイクロソフト社の映像技術による高い圧縮率とクオリティーを提供する。
【０００７】
ＶｉｒｔｕａｌＧｉｒｌ（Ｖ２）（ｈｔｔｐ：／／ｗｗｗ．ｖｉｒｔｕａｌ２．ｃｏｍ／ｉｎｔ／ｉｎｄｅｘ．ｐｈｐ）サービスは，成人用ストリップガール（ｓｔｒｉｐ  ｇｉｒｌ）としてデスクトップ上でストリップガールのストリップダンスを表現し，ビットマップマスキング（Ｂｉｔｍａｐ  Ｍａｓｋｉｎｇ）技術による実物映像情報物を再生して，映像情報物ファイルの最大２培ズーム機能を提供して，８ビット２５６カラーによる少ないファイル容量とイメージクオリティーを提供する。
【発明の開示】
【発明が解決しようとする課題】
【０００８】
しかし，多様な映像情報物のアプリケーションサービスが行われているにもかかわらず，ユーザがコンピュータを使いながら手軽に移植できる新しい形態の感性型映像情報物のサービスが存在しないという問題があった。また，ユーザのコンピュータに存在するユーザ自身のみのアイドル等のため，ビジュアル，オーディオ，テキストを通じた感性型映像情報物としてメッセージング機能の映像情報物−ユーザ（ｃｈａｒａｃｔｅｒ−ｕｓｅｒ）間で，コミュニケーション技術が提供されていないという問題があった。
【０００９】
そこで，本発明は，上記問題に鑑みてなされたものであり，本発明の目的とするところは，新しい形態の感性型映像情報物の制作及び再生方法に関し，撮像された動画像の特定領域を透過させた実物型２Ｄ映像情報物等で構成されるモーションクリップ，ＭＰ３オーディオ情報，メッセージ，及び字幕（ｃａｐｔｉｏｎ）等を含む一般パソコン上で具現可能な映像情報物を制作する方法及び上記制作された映像情報物を一般パソコンで具現するための方法を提供することにある。
【００１０】
より具体的には，本発明の目的は，実際の人等の動画像を撮像し，撮像された動画像からビットマップマスク方式及びアルファチャンネル方式による外廓アンチエイリアシング（Ａｎｔｉ−ａｌｉａｓｉｎｇ）処理技術などによって動的客体を抽出して映像情報を制作し，さらに，上記映像情報と関連するＭＰ３オーディオ情報，メッセージ及び字幕情報などを制作し，これらの情報を各々又は一体的に制作可能な，映像情報物の制作方法を提供することにある。
【００１１】
また，より具体的な本発明の目的は，上記制作された映像情報物をコンピュータ上で具現する方法として，映像情報物をコンピュータ画面上で実行するモーション映像情報物（ｍｏｔｉｏｎ  ｃｈａｒａｃｔｅｒ）や，メッセージ到着，メッセージ受信，プログラム開始，プログラム終了，電子メール到着を表示する通知用の映像情報物，各種メッセンジャーと連動する映像情報物，及びウィンアンプ（ＷｉｎＡｍｐ）の再生時に出力されるプラグイン映像情報物などを含むマルチメディアディジタルコンテンツを，ユーザのコンピュータのバックラウンド画面上で，多様な実物映像情報物のモーションと，音楽と，字幕とを同期して同時に再生して鑑賞することが可能な，映像情報物の再生方法を提供することにある。
【課題を解決するための手段】
【００１２】
上記課題を解決するために，本発明のある観点によれば，コンピュータで再生されるモーション情報，オーディオ情報，字幕情報又はメッセージ情報のうち少なくとも１つ以上を含む実物キャラクター型動画像情報物を制作する方法が提供される。この実物キャラクター型動画像情報物の制作方法は，実際の人又は実物の被写体の動画像を撮像する段階と；撮像された動画像から，ビットマップマスキング方式又はアルファチャンネル方式，或いはこれら２つの方式を結合した方式により，動画像の映像情報及び／又はアルファチャンネル情報を含むモーション情報を抽出する段階と；モーション情報に同期されるＭＰ３方式のオーディオ情報，モーション情報の画面フレームに同期されハイパーリンク機能を有する字幕情報，メッセージ情報のうち少なくとも１つ以上を制作する段階と；モーション情報，オーディオ情報，メッセージ情報，字幕情報のうち少なくとも１つ以上の情報を含む，或いは各々の情報を独立的に含む実物キャラクター型動画像情報物を制作する段階と；実物キャラクター型動画像情報物に含まれるモーション情報，オーディオ情報，字幕情報及び／又はメッセージ情報の制作及び再生に必要な情報を含むメタファイルを制作する段階と；を含むことを特徴とする。
【００１３】
また，上記メタファイルは，モーション情報のクリップ情報と，同期情報と，ユーザ情報とを含み，実物キャラクター型動画像情報物は，モーション情報のみをコンピュータで再生可能に制作されてもよい。
【００１４】
また，上記ビットマップマスク方式は，マスクされる動画像のデータから動的客体を抽出する機能と，動的客体の実際領域を各フレーム別にデータ化する機能と，領域データ及び動画像データを重ねることができるＶＭＰフォーマットデータ制作機能と，ＶＭＰウィンドウレンダリング機能と，イメージからインディクスカーラーによるマスキング領域を抽出して，各フレーム別に実際に表現される領域をデータ化し，モーション情報を再生可能な映像ファイルフォーマットに変換する機能とを含んでもよい。また，上記アルファチャンネル方式は，２４ビットＲＧＢ映像と８ビットアルファ映像とのデータ合成機能と，動的客体の実際領域を各フレーム別にデータ化する機能と，領域データ及び動画像データを重ねることができるＶＭＰフォーマットデータ制作機能と，３２ビット映像ウィンドウレンダリング機能と，イメージ輪郭のアンチエイリアシング処理機能と，２４ビットＲＧＢ映像と８ビットアルファ映像を互いに異なるチャンネルで貯蔵できる機能とを含むようにしてもよい。
【００１５】
また，上記課題を解決するために，本発明の別の観点によれば，上記実物キャラクター型動画像情報物制作方法で制作された実物キャラクター型動画像情報物をコンピュータで再生する方法が提供される。この実物キャラクター型動画像情報物の再生方法は，実物キャラクター型動画像情報物をコンピュータに貯蔵する段階と；実物キャラクター型動画像情報物の再生のためメタファイルを読み込む段階と；メタファイルの情報に従って，モーション情報，オーディオ情報及び／又は字幕情報を連係させて，実物キャラクター型動画像情報物を再生する段階と；を含むことを特徴とする。
【００１６】
また，上記実物キャラクター型動画像情報物は，プログラムの開始，プログラムの終了，電子メールの受信，またはメッセージの受信を表現する通知用の実物キャラクター型動画像情報物；各種のメッセンジャーと連動されるメッセージ実物キャラクター型動画像情報物；ウィンアンプ等のプログラムの実行時に表現されるプラグイン実物キャラクター型動画像情報物；または，他のプログラムとの連動なしで再生する目的で制作されたテーマクリップ又はショウクリップのモーション実物キャラクター型動画像情報物；
を含むようにしてもよい。
【００１７】
また，上記電子メール又はメッセージの受信を，所定の時間間隔で持続的に確認する段階をさらに含むようにしてもよい。
【００１８】
また，上記実物キャラクター型動画像情報物を保有しているデータベース又はサーバーに対して，有線若しくは無線のネットワークを介して，コンピュータを所定の時間間隔で持続的に接続する，或いは実時間に接続された状態を維持して，新しい実物キャラクター型動画像情報物をダウンロードする段階をさらに含むようにしてもよい。
【００１９】
また，上記実物キャラクター型動画像情報物は，モーション情報，アルファチャンネル領域情報，オーディオ情報，メッセージ情報，字幕情報，字幕リンク情報，メタファイルのうち少なくともいずれかを含み，実物キャラクター型動画像情報物にオーディオ情報および字幕情報が含まれなくとも，モーション情報を単独で再生可能であるようにしてもよい。
【００２０】
また，上記モーション情報，オーディオ情報，メッセージ情報，字幕情報のうち少なくとも１つ以上を含む少なくとも１つの実物キャラクター型動画像情報物は，各情報が相互に同期されてコンピュータで再生されるようにしてもよい。
また，上記モーション実物キャラクター型動画像情報物は，特定の個人技または見せ物を鑑賞する公演の概念に応じたショウクリップ又はテーマクリップを含むようにしてもよい。
【００２１】
また，上記通知用の実物キャラクター型動画像情報物は，メッセージが到着したことを知らせるメッセージ到着実物キャラクター型動画像情報物；到着したメッセージの内容の閲覧時に，当該メッセージに対応する実物キャラクター型動画像情報物を出力するメッセージ受信実物キャラクター型動画像情報物；コンピュータの起動と同時に再生プログラムが開始される時に出力されるプログラム開始実物キャラクター型動画像情報物；再生プログラムの終了時に出力されるプログラム終了実物キャラクター型動画像情報物；または，電子メールが到着したことを知らせる電子メール実物キャラクター型動画像情報物；を含むようにしてもよい。
【００２２】
また，上記実物キャラクター型動画像情報物の基本形態としては，コンピュータのバッグラウンド画面の作業表示ラインの上部に実物キャラクター型動画像情報物が出力され，バッグラウンド画面のいずれの箇所でも実物キャラクター型動画像情報物をドラッグ可能であり，作業表示ラインにトレイアイコンが生成され，トレイアイコンがダブルクリックされたときに，実物キャラクター型動画像情報物の停止／再生が切り替えられ，作業表示ラインのトレイアイコンまたは実物キャラクター型動画像情報物をマウスで右クリックしたときに，実物キャラクター型動画像情報物に関するメニューが生成され，実物キャラクター型動画像情報物は所定の大きさで表示されるようにしてもよい。
【００２３】
また，上記モーション実物キャラクター型動画像情報物は，所定の時間にわたり動作とサウンドが共に実行され，選択されたモーション実物キャラクター型動画像情報物は，位置設定及び周期設定に応じて順次に出力され，複数のモーション実物キャラクター型動画像情報物を多重選択できるようにしてもよい。
【００２４】
また，上記メッセージ到着実物キャラクター型動画像情報物は，所定の時間にわたり動作とサウンドが共に実行され，１つの実物キャラクター型動画像情報物のみを設定可能であり，モーション実物キャラクター型動画像情報物が実行中ではない場合には，メッセージ到着時に，設定されたメッセージ到着実物キャラクター型動画像情報物とともに到着メッセージが出力され，モーション実物キャラクター型動画像情報物が実行中の場合には，メッセージ到着時に，メッセージ到着実物キャラクター型動画像情報物に対応するアイコンのみが点滅し，当該アイコンのクリック時に，メッセージ到着実物キャラクター型動画像情報物が出力されるようにしてもよい。
【００２５】
また，上記メッセージ実物キャラクター型動画像情報物は，所定の時間にわたり，メッセージ内容確認時の動作を実行する実物キャラクター型動画像情報物であり，メッセージが芸能情報の場合には，基本メッセージ実物キャラクター型動画像情報物が出力され，メッセージがアイドル情報の場合には，該当アイドルメッセージ実物キャラクター型動画像情報物が出力されることによって，選択されたメッセージに該当する実物キャラクター型動画像情報物が出力され，実物キャラクター型動画像情報物再生部は，メッセージ保管箱に対してメッセージを追加または削除する機能と，メッセージについての詳細情報を有するウェブサイトにリンクされる詳細閲覧機能とを有するようにしてもよい。
【００２６】
また，上記プログラム開始実物キャラクター型動画像情報物は，コンピュータの起動若しくは再生プログラムの開始時に，選択されたプログラム開始実物キャラクター型動画像情報物の再生が開始されて，所定の時間にわたり動作とサウンドが共に実行され，プログラム終了実物キャラクター型動画像情報物は，再生プログラムの終了時に，所定の時間にわたり，動作とオーディオが共に実行されるようにしてもよい。
【００２７】
また，上記電子メール実物キャラクター型動画像情報物は，電子メールの到着時に再生されて，所定の時間にわたり動作とサウンドが共に実行され，メッセンジャー通知用の実物キャラクター型動画像情報物は，所定の時間にわたり，メッセンジャーと共に実行される実物キャラクター型動画像情報物であり，メッセンジャーの通知箱と代替されるようにしてもよい。
【００２８】
また，上記実物キャラクター型動画像情報物は，透明度調節機能，出現位置調整機能，出現周期設定機能，電子メールチェック機能，フェードイン／アウト機能を有するようにしてもよい。
【００２９】
また，上記実物キャラクター型動画像情報物のモーション情報は，動画像の特定領域をクリップした映像情報で構成されるようにしてもよい。
【００３０】
また，上記特定実物キャラクター型動画像情報物を保有するデータベースまたはサーバーとコンピュータとの間でネットワークを介して通信することで，コンピュータに，特定実物キャラクター型動画像情報物に関するメッセージを，ＭＰ３ベースでオーディオ出力する，或いはＸＭＬベースで吹き出し内に表示出力するようにしてもよい。
【００３１】
また，上記課題を解決するために，本発明の別の観点によれば，上述した実物キャラクター型動画像情報物が記録されていることを特徴とする記録媒体が提供される。
【００３２】
また，上記課題を解決するために，本発明の別の観点によれば，上述した実物キャラクター型動画像情報物の再生方法を実行するプログラムが記録されていることを特徴とする記録媒体が提供される。
【発明の効果】
【００３３】
以上説明したように本発明によれば，新しい形態の感性形実物キャラクター型動画像情報物サービスとして，再生プログラム（モーションプレーヤー）によって，クリップされた人物等の動画である動画像情報（モーションクリップ）と，音楽と，ポップアップ字幕とを同時に再生して，ユーザのコンピュータのバッグラウンド画面に出力することができる。これによって，コンピュータ作業中に，モーション実物キャラクター型動画像情報物，通知用の実物キャラクター型動画像情報物，プラグイン実物キャラクター型動画像情報物等の多様な実物キャラクター型動画像情報物のモーションと音楽及び字幕を同期して同時に再生出力でき，ユーザは自己の好みに応じてこれらを鑑賞できるという効果がある。
【００３４】
また，動画像の特定領域を透過させた実物型２Ｄ実物キャラクター型動画像情報物，ＭＰ３音楽，実時間メッセージ，及び字幕等を含むモーション実物キャラクター型動画像情報物，メッセージ到着，メッセージ受信，プログラム開始，プログラム終了，電子メール到着を表示する通知用の実物キャラクター型動画像情報物，各種メッセンジャーと連動される実物キャラクター型動画像情報物，及びウィンアンプ再生時に出力されるプラグイン実物キャラクター型動画像情報物などを含んだマルチメディアディジタルコンテンツを，コンピュータ作業中に再生して，ユーザは多様な実物キャラクター型動画像情報物のモーションと音楽及び字幕を同時に鑑賞できる。
【発明を実施するための最良の形態】
【００３５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３６】
上述したように本発明は，映像（動画像）情報と，オーディオ情報と，字幕情報と，メッセージ情報等を含む実物キャラクター型動画像情報物又は映像情報物（ｃｈａｒａｃｔｅｒ）を制作する方法，この実物キャラクター型動画像情報物又は映像情報物をコンピュータで再生する方法，及び，実物キャラクター型動画像情報物またはその再生プログラムを記録した記録媒体に関するものである。
【００３７】
特に，動画像の特定領域を透過させた実物型２Ｄモーション動画像情報物，ＭＰ３音楽，字幕等を含むマルチメディアディジタルコンテンツとして，モーション動画像情報物と，通知用の動画像情報物と，プラグイン動画像情報物等の多様な実物キャラクター型動画像情報物を制作する方法と，この実物キャラクター型動画像情報物を，再生プログラム（モーションプレーヤー）によって，モーション（ｍｏｔｉｏｎ；クリップされた動画像）と，音楽と，字幕（ｃａｐｔｉｏｎ）とを同期させて再生し，ユーザのコンピュータのバックグラウンド画面上で同時に出力して，鑑賞させるための再生方法，及びこれを実現するシステムに関するものである。
【００３８】
以下に，本発明の好適な実施形態にかかる映像情報物の制作方法及び再生方法，システム等について説明する。
【００３９】
上記のように，本実施形態には，実物キャラクター型動画像情報物（ｒｅａｌ  ｃｈａｒａｃｔｅｒ  ｔｙｐｅ  ｍｏｖｉｅ）を制作し，これをコンピュータで再生する方法に関するものであり，まず，図１ａ及び図１ｂを参照して，本実施形態にかかる実物キャラクター型動画像情報物の制作及び再生する方法について概略的に説明する。
【００４０】
図１ａを参照すれば，本実施形態にかかるコンピュータで再生される実物キャラクター型動画像情報物の制作方法は，まず，実物の２Ｄ動画像を撮像する（段階Ｓ１）。ここで，実物の２Ｄ動画像とは，実物キャラクター型動画像情報物を制作するのに相応しい動画像であって，実際の被写体（人または事物）の動きを撮像した映像である。例えば，歌手が歌を歌いながら，踊る動画像などを称するものである。勿論，既に撮像された動画像を使って本実施形態にかかる実物キャラクター型動画像情報物を制作することもできる。また，歌手ではない専門ダンサーの動画像または各種の芸能人，愛玩動物たちを実際に撮像して本実施形態にかかる実物キャラクター型動画像情報物を制作及び再生することもできる。
【００４１】
次いで，上記撮像された動画像から，必要ではない部分（例えば背景部分）を除外して，実際の被写体（人等）の形態のみを抽出して，キャラクター形態の動画像情報を抽出する（段階Ｓ２）。ここで，上記動画像情報（動画の映像情報）は，ビットマップマスク（Ｂｉｔｍａｐ  Ｍａｓｋｉｎｇ）方式またはアルファチャンネル（Ａｌｐｈａ  Ｃｈａｎｎｅｌ）方式によって制作されてもよいし，或いは，これら二つの方式を結合して制作されてもよい。上記撮像された動画像の動画像情報は，映像情報とアルファチャンネル情報を含む。キャラクター形態の動画像情報を抽出する方法の詳細について，図４ａ〜図４ｄを用いて後述する。
【００４２】
次いで，上記動画像情報（映像情報）に対応するオーディオ情報（音声情報），メッセージ情報及び字幕情報のうち少なくとも１つを制作する（段階Ｓ３）。ここで，上記オーディオ情報は，例えば，上記動画像情報に同期するＭＰ３（ＭＰＥＧ−１  Ａｕｄｉｏ  Ｌａｙｅｒ  ＩＩＩ）方式のオーディオ情報であるが，かかる例に限定されず，他の方式のオーディオ方式を用いることもできる。また，上記字幕情報は，上記動画像情報の画面フレームに同期して，ハイパーリンク（ｈｙｐｅｒ  ｌｉｎｋ）機能を含むことができる。
【００４３】
次いで，上記動画像情報と，上記オーディオ情報，上記メッセージ情報及び字幕情報中少なくとも１つ以上の情報とを包含する実物キャラクター型動画像情報物，或は各々の情報の独立した実物キャラクター型動画像情報物を制作する（段階Ｓ４）。
【００４４】
次いで，上記実物キャラクター型動画像情報物に包含されている動画像情報，オーディオ情報，字幕情報又はメッセージ情報の制作及び実行（再生）に必要な情報を含むメタファイルを制作する（段階Ｓ５）。
【００４５】
上記メタファイルは，例えば，上記動画情報のクリップ情報，同期情報及びユーザ情報などを包含し，上記実物キャラクター型動画像情報物は，上記動画像情報のみを再生可能なように制作される。
【００４６】
図１ｂを参照すれば，本実施形態にかかるコンピュータのバックグラウンド画面に，モーション，音楽及び字幕を含む実物キャラクター型動画像情報物を再生する方法は，上記制作された実物キャラクター型動画像情報物を，一般的なコンピュータ（パーソナルコンピュータ等）で再生する方法である。
【００４７】
本実施形態にかかる再生方法は，まず，モーションクリップ（動画像情報等），オーディオ情報（音楽データ），字幕情報（字幕データ）を含む上記実物キャラクター型動画像情報物を上記コンピュータの記憶手段（ハードディスク，メモリ等）に貯蔵する（段階Ｓ７）。
【００４８】
次いで，上記実物キャラクター型動画像情報物を再生するため，上記メタファイルを読み込む（段階Ｓ８）。
【００４９】
さらに，ユーザ情報及び動画像情報等が定義されたメタファイルとして１秒当りフレーム数を判断し，上記メタファイル（ｉｎｆ）の情報に従って，上記動画像情報，上記オーディオ情報及び上記字幕情報を連係させて，或いは動画像情報を単独で，上記実物キャラクター型動画像情報物を，上記コンピュータのバッグラウンド画面に再生する（段階Ｓ９）。
【００５０】
上記モーションクリップは，動画像情報，同期情報，上記モーションクリップを再生するためコンピュータバッグラウンド画面の特定位置と大きさを表示する領域情報，上記モーションクリップにＭＰ３等の音楽情報をリンクするため音楽リンク情報，及び上記モーションクリップに字幕（ｃａｐｔｉｏｎ）をリンクするため字幕リンク情報などを包含し，上記モーションクリップを単独で再生でき，上記音楽データと上記字幕データが包含されなくとも動画像が再生される。
【００５１】
上記字幕（ｃａｐｔｉｏｎ）は，字幕情報及び字幕同期（ｓｙｎｃ）情報を包含し，上記音楽は，ＭＰ３方式またはその他の音楽データファイルを含む。
【００５２】
上記実物キャラクター型動画像情報物（ｃｈａｒａｃｔｅｒ）は，例えば，プログラムの開始，プログラムの終了，電子メールの受信，メッセージの受信等を表現する通知用実物キャラクター型動画像情報物，各種メッセンジャーと連係されたメッセンジャー実物キャラクター型動画像情報物，ウィンアンプ（ｗｉｎａｍｐ）等のプログラムの実行時に表現されるプラグイン実物キャラクター型動画像情報物，その他のプログラムとの連係なく再生を目的に制作されたテーマクリップ又はショウクリップのモーション実物キャラクター型動画像情報物などを含む。
【００５３】
上記実物キャラクター型動画像情報物は，上記動画像情報，上記オーディオ情報，メッセージ情報又は字幕情報のうち少なくとも１つ以上を包含しており，コンピュータのバッグラウンド画面で再生される。
【００５４】
ユーザのコンピュータは，上記電子メール又はメッセージ等の受信情報を確認するために，所定時間間隔で持続的にこれを確認する機能を有する。
【００５５】
ユーザのコンピュータは，上記実物キャラクター型動画像情報物を保有しているデータベースやサーバーに，優先または無線のインターネット等のネットワークを通じて所定時間間隔に持続的に接続される，或いはリアルタイムで接続された状態を維持される場合において，新しい実物キャラクター型動画像情報物等の情報を，上記データベースやサーバーから当該コンピュータにダウンロードして再生できる機能を有する。上記実物キャラクター型動画像情報物は，画像情報，アルファチャンネル領域情報，オーディオ情報，字幕情報及び字幕リンク情報，メタファイル等を包含し，上記実物キャラクター型動画像情報物を単独に再生でき，上記オーディオ情報と上記字幕情報が包含されなくとも上記実物キャラクター型動画像情報物を再生できる。
【００５６】
以上で説明したように，本発明は，実物が撮影された動画像から，動画像情報，オーディオ情報または字幕情報などを利用した実物キャラクター型動画像情報物を制作して，この実物キャラクター型動画像情報物をコンピュータ，または携帯電話機，ＰＤＡ等の携帯端末機で再生する方法に関するするものである。図２を参照して上記で説明した実物キャラクター型動画像情報物の制作に係わるソフトウェアと，これを再生するソフトウェアについての実施例を中心に，本発明の具体的な実施内容に対して説明する。
【００５７】
図２は，本実施形態にかかる実物キャラクター型動画像情報物を制作するためのソフトウェアと，制作された実物キャラクター型動画像情報物を再生するためのソフトウェアの構成を示すブロック図である。図２に示したように，本実施形態にかかるソフトウェアシステムは，大きく分けて，実物キャラクター型動画像情報物（７０）と，これを再生するための実物キャラクター型動画像情報物再生部（８０）で構成されている。上記実物キャラクター型動画像情報物（７０）は，後述する動画像情報物再生部（８０）によってパーソナルコンピュータ等のコンピュータ又は携帯電話機，ＰＤＡ等の携帯端末機で再生される。ここで，パーソナルコンピュータで再生される場合，パーソナルコンピュータのバックグラウンド画面から独立的に再生されることができるため，使用者は他の作業をしながら，当該作業の邪魔を受けることなく，本実施形態にかかる実物キャラクター型動画像静物を鑑賞することができる。また，複数の実物キャラクター型動画像情報物（７０）と，上記動画像情報物再生部（８０）は，ＣＤ，  ＤＶＤなどのような形態の記録媒体に保存されることができ，この記録媒体は，ＣＤプレーヤーまたはＤＶＤプレーヤーによって自動実行されることができる。
【００５８】
図２は，本実施形態にかかる映像情報制作ソフトウェアであるコンポーザー（Ｃｏｍｐｏｓｅｒ），字幕情報制作ソフトウェアである字幕生成部，及び制作された実物キャラクター型動画像情報物を再生するソフトウェアであるモーションプレーヤーを含むソフトウェアシステムを示すブロック図である。
【００５９】
図２を参照すれば，本実施形態にかかるソフトウェアシステムは，映像生成部であるコンポーザー（１０）と，字幕生成部（２０）と，実物キャラクター型動画像情報物再生部（以下，モーションプレーヤー（Ｍｏｔｉｏｎ  Ｐｌａｙｅｒ）と称する。）（８０）と，動画像情報（以下，モーションクリップ（ｍｏｔｉｏｎ  ｃｌｉｐ）と称する場合もある。）（３０），ＭＰ３音楽データ等のオーディオ情報（以下，音楽と称する場合もある。）（４０），字幕情報（５０），メタファイル（６０）で構成されている。
【００６０】
本実施形態にかかるコンピュータのバッグラウンド画面に，多様な実物キャラクター型動画像情報物（ｃｈａｒａｃｔｅｒｓ）のモーション，音楽及び字幕を再生するシステムは，撮像された動画像からモーション（ｍｏｔｉｏｎ）を抽出して，ＭＰ３音楽データと字幕情報を共に貯蔵する上記コンポーザー（１０）と，動画像の各フレームに合う字幕を生成する字幕生成部（２０）と，モーションクリップ，ＭＰ３音楽，及び字幕の３つのデータファイルを組み合わせて再生するモーションプレーヤー（８０）とで構成されている。
【００６１】
本実施形態にかかるモーションプレーヤー（Ｍｏｔｉｏｎ  Ｐｌａｙｅｒ）（８０）は，新しい形態の感性形実物キャラクター型動画像情報物サービスを実現するため，表１のように，モーションクリップ（ｍｏｔｉｏｎ  ｃｌｉｐ），ＭＰ３等の音楽，ポップアップ字幕（ｐｏｐ−ｕｐ  ｃａｐｔｉｏｎ）を同時に再生して，ユーザパソコンのバッグラウンド画面に同時に表示する。これによって，ユーザは，ユーザ自身のコンピュータを用いた作業中に，多様な実物キャラクター型動画像情報物（ｃｈａｒａｃｔｅｒ）のモーション（ｍｏｔｉｏｎ）と音楽及び字幕（ｃａｐｔｉｏｎ）を同時に鑑賞できる。
【００６２】
コンポーザー（１０）のクリップ情報の設定は，撮像された動画像ファイルからモーションクリップ（動画像情報）を抽出して，表１に示すＶＭＣファイルに必要な情報内容を含んだＶＭＣファイルを生成する。
【００６３】
【表１】
2005228297.tif 000003
【００６４】
本実施形態にかかるクリップは，例えば，以下の５種類の情報で構成されている。
＊メタファイル（ｉｎｆ）；クリップ情報，同期（ｓｙｎｃ）情報，ユーザ情報（コンテンツ保安）を包含し，ユーザ情報及び映像情報が定義されたメタファイルであり，１秒当りフレーム数を判断する。
＊Ｖｍｃ（ｍｏｔｉｏｎ  ｃｌｉｐ）；ビジュアル的な映像情報
＊Ｖｍａ（ａｌｐｈａ  ｃｌｉｐ）；アルファチャンネル領域情報
＊ｍｐ３；オーディオ情報（時間情報によるサウンド情報再生）
＊Ｖｓｃ（ｓｃｒｉｐｔ  ｆｉｌｅ）；メタ情報によるフレーム別に字幕を再生し，ＣＡＰＴＩＯＮ字幕情報ｘｍｌ（必要時のみ存在する）は，ハイパーリンク機能によりクリックされた時に特定ウェブサイトに連結させる。
【００６５】
上記Ｖｍｃ（ｍｏｔｉｏｎ  ｃｌｉｐ），Ｖｍａ（ａｌｐｈａ  ｃｌｉｐ）は，背景透明度及び輪郭処理，ユーザのディスプレー環境に従う再生を差別化（１６ビット，２４ビット）して，メタ情報による１秒当りフレームを再生する。Ｖｐｌａｙｅｒ  ｔｉｍｅｒを作動させて，所定の時間間隔（例えば１秒間隔）でチェックする。
【００６６】
本実施形態にかかるモーションプレーヤー（８０）は，特定キャラクタークリップを実行させるとき，まず，メタファイル（ｉｎｆ）を参照して再生させる。上記メタファイル（ｉｎｆ）は，ユーザ情報及び映像情報が定義されたメタファイルであり，１秒当りのフレーム数を判断する。まず，クリップのユーザ情報の確認を通じて実行の可否を判断し，実行クリップの映像ファイルの１秒当り再生フレームと，全体のフレーム数とに基づいて，時間を換算する。換算された時間単位をバックラウンドとして，上記モーションプレーヤー（８０）は，２４ビット映像ファイル，８ビットアルファ映像，サウンドクリップを再生する。この時，２４ビット映像を画面に表示する際に，８ビット映像のグレースケール（Ｇｒａｙ  Ｓｃａｌｅ）情報に従う透過情報を組み合わせる。このようにして３２ビット映像を作り出す。また，字幕ファイルは，内部にフレームに従って出力されるテキスト情報（言葉等）を包含しており，特定フレームが再生される時間に，該当する字幕が吹き出し形態（言葉風船形態）で表示される。
【００６７】
図３ａは，本実施形態にかかるソフトウェアシステムにおいて，モーションクリップ（Ｍｏｔｉｏｎ  Ｃｌｉｐ），字幕（Ｃａｐｔｉｏｎ），ＭＰ３音楽の３つのデータファイルを，音楽タイムライン（Ｍｕｓｉｃ  Ｔｉｍｅ  Ｌｉｎｅ）に合わせて，リアルタイムで同期（ｓｙｎｃ）させて再生することを示す説明図である。
【００６８】
図３ｂは，本実施形態にかかるモーションプレーヤー（８０）の初期画面であり，図３ｃは，モーションプレーヤー（８０）の機能の設定画面を示す。上記モーションプレーヤー（８０）は，多様な再生形態を得るために，例えば，表示位置，周期，その他の情報をユーザが任意的に設定できる。
【００６９】
図３ｄは，モーションプレーヤー（８０）において，ダウンロードされた実物キャラクター型動画像情報物の情報及びプレーヤー情報表示画面を示す。図３ｄに図示されたように，ユーザは，新しい実物キャラクター型動画像情報物（ｃｈａｒａｃｔｅｒ）を追加したり，連続的にプレーする実物キャラクター型動画像情報物情報を設定したりすることができ，ダウンロードされた実物キャラクター型動画像情報物のプロパティ情報を閲覧することも可能である。
【００７０】
以下に示すように，例えばＸＭＬ（ｅＸｔｅｎｄｉｂｌｅ  Ｍａｒｋｕｐ  Ｌａｎｇｕａｇｅ）で制作された字幕（ｃａｐｔｉｏｎ）ファイルは，動画像情報の同期（ｓｙｎｃ）情報と共に，字幕の文字色を指定できる。
【００７１】
＜？ｘｍｌ  ｖｅｒｓｉｏｎ＝”１．０”  ｅｎｃｏｄｉｎｇ＝”ｅｕｃ−ｋｒ”  ？＞
＜ＣＡＰＴＩＯＮ  Ｖｅｒｓｉｏｎ＝”１．０”
＜ＣＡＰＴＩＯＮ  ＩＤ＝”１０３３”  ＢＯＸ＿ＮＡＭＥ＝”風船ヘルプ＿１”ＴＥＸＴ＿Ｃ０ＬＯＲ＝”０，
（ここに字幕ファイル名が記述される）
＜／ＣＡＰＴＩＯＮ＞
＜／ＣＡＰＴＩＯＮ＞
【００７２】
【表２】
2005228297.tif 000004
【００７３】
上記コンポーザー（Ｃｏｍｐｏｓｅｒ）（１０）を通じてモーション（動画像），音楽を生成し，上記字幕生成部（２０）を通じて字幕を生成して，有無線ＣＰ（Ｃｏｎｔｅｎｔｓ  Ｐｒｏｖｉｄｅｒ；コンテンツプロバイダ）やＳＰ（Ｓｅｒｖｉｃｅ  Ｐｒｏｖｉｄｅｒ；；コンテンツプロバイダ）の情報提供サーバーに貯蔵しておく。次いで，ＣＰ／ＳＰの情報提供ウェブサイトに接続して認証された会員（ユーザ）のコンピュータに対して，上記生成したモーション，音楽，字幕データを，ＣＰ／ＳＰの情報提供サーバーから有線若しくは無線のインターネットを介して提供する。認証された会員は，インターネット上で上記モーションプレーヤー（８０）をダウンロードできるし，また，有線または無線のインターネットを通じてモーション，音楽，字幕データをダウンロードできる。多様な実物キャラクター型動画像情報物の多様な種類のモーション，音楽，字幕のコンテンツを提供するサービスを行うため，ＣＰ／ＳＰの情報提供サーバーは，マルチメディアコンテンツを貯蔵できるデータベースを備える。
【００７４】
本実施形態にかかるモーションプレーヤー（８０）は，ダウンロードコンポネント（ＡｃｔｉｖｅＸ  ｃｏｎｔｒｏｌ）を通じて，ユーザのコンピュータに新しいクリップをダウンロードするとともに，ユーザのハードディスクに当該クリップを追加する。この時，上記モーションプレーヤー（８０）のユーザ情報と，クリップをダウンロードしようとするユーザ（ｕｓｅｒ）の情報とが異なる場合，クリップをダウンロードできない。ダウンロードコンポネントは，ユーザがクリップをウェブ上でダウンロードして取得する過程で，ファイルのメタ情報にユーザの情報を挿入することによって，ＣＤＭ（Ｃｏｎｔｅｎｔ  Ｄｅｌｉｖｅｒｙ  Ｍａｎａｇｅｍｅｎｔ）を具現する。この時，ウェブ上でダウンロードＺｉｐファイルを臨時貯蔵し，圧縮解除して，ユーザプレーヤーにクリップを追加する。アクティブエックスコントロール（ＡｃｔｉｖｅＸ  ｃｏｎｔｒｏｌ）認証は，例えば，アニサットを使用する。
【００７５】
図４ａを参照すれば，本実施形態の一例にかかる実物キャラクター型動画像情報物プレーヤー（Ｄｅｓｋｔｏｐ  Ｌｉｖｅ  Ｃｈａｒａｃｔｅｒ  Ｐｌａｙｅｒ）を使用したビットマップマスク（Ｂｉｔｍａｐ  Ｍａｓｋｉｎｇ）方式による上記モーションプレーヤー（８０）は，マスク（Ｍａｓｋ）を適用した映像データから動的客体を抽出する機能と，動的客体の実際領域を各フレーム別にデータ化する機能と，領域データ及び動画像データを重畳することができるＶＭＰフォーマットデータ制作機能と，ＶＭＰウィンドウレンダリング機能とを揺する。図４ａに図示したように，イメージからインディクスカーラーによるマスキング領域を抽出して，各フレーム別（Ｆｒａｍｅ００１，Ｆｒａｍｅ００２，Ｆｒａｍｅ００３，Ｆｒａｍｅ００４）に実際に表現される領域をデータ化して，上記モーションプレーヤー（８０）によって，領域データ情報と映像情報を計算して，実物キャラクター型動画像情報物ファイルの映像を，コンピュータのバックグラウンド画面に散らして表示する。
【００７６】
ビットマップマスク（Ｂｉｔｍａｐ  Ｍａｓｋｉｎｇ）方式による上記モーションプレーヤー（８０）は，例えば，ウィンドウズ（登録商標）ビットマップマスキング（Ｗｉｎｄｏｗｓ（登録商標）  Ｂｉｔｍａｐ  Ｍａｓｋｉｎｇ）によって，実物キャラクター型動画像情報物イメージの領域データを抽出及び透明化し，ビットマップブレンディング（Ｂｉｔｍａｐ  Ｂｌｅｎｄｉｎｇ）によってイメージの透明度を調節する。
【００７７】
図４ｂは，動的客体の実際領域を各フレーム別にデータ化した画面である。モーションプレーヤーで再生できる映像ファイルフォーマットに変換するため，動的客体の実際の領域データ情報と映像情報を計算して，実物キャラクター型動画像情報物ファイルの映像を，コンピュータのバッグラウンド画面上に散らす。
【００７８】
図４ｃは，アルファチャンネル（Ａｌｐｈａ  Ｃｈａｎｎｅｌ）方式のモーションプレーヤー（８０）を具現する場合において，２４ビットＲＧＢ映像と，８ビットアルファ（Ａｌｐｈａ）映像とを合成したデータ合成画面である。また，図４ｄは，３２ビットウィンドウレンダリングによるアンチエイリアシング処理画面で，バッグラウンド画面のカーラとアルファチャンネルの実時間計算による段階的マスキング技術を示す。
【００７９】
上記アルファチャンネル方式のモーションプレーヤー（８０）は，（１）２４ビットＲＧＢ映像と８ビットＡｌｐｈａ映像とのデータ合成機能と，（２）動的客体の実際領域（実際に存在する領域）を各フレーム別にデータ化する機能と，（３）領域データ及び動画像データを重ねることができるＶＭＰフォーマットデータ制作機能と，（４）３２ビット映像ウィンドウレンダリング機能と，（５）イメージ輪郭アンチエイリアシング（Ａｎｔｉ−ａｌｉａｓｉｎｇ）処理機能とを有する。
【００８０】
上記アルファチャンネル方式のモーションプレーヤー（８０）は，上記ビットマップマスキング技術の代わりにバージョンアップして構築でき，アルファチャンネルを含んだ３２ビット映像再生技術と，イメージ輪郭アンチエイリアシング処理技術が提供されている。
【００８１】
実物キャラクター型動画像情報物認証（Ｃｈａｒａｃｔｅｒ  Ｃｅｒｔｉｆｉｃａｔｉｏｎ）処理では，ダウンロードセッションコントロール（ＤＳＣ  ：  Ｄｏｗｎｌｏａｄ  Ｓｅｓｓｉｏｎ  Ｃｏｎｔｒｏｌ）を通じて保安化されたダウンロードを提供できる。具体的には，モーションプレーヤーのデータベースと共に，ユーザと実物キャラクター型動画像情報物の認証手続きを行い，実物キャラクター型動画像情報物の著作権管理（ＤＲＭ  ：  Ｄｉｇｉｔａｌ  Ｒｉｇｈｔｓ  Ｍａｎａｇｅｍｅｎｔ）を実現でき，実物キャラクター型動画像情報物のダウンロード時に，購買者によるメタデータ（Ｍｅｔａ  Ｄａｔａ）を実物キャラクター型動画像情報物に挿入できる。
【００８２】
また，実物キャラクター型動画像情報物の関連メッセージングサービス（Ｃｈａｒａｃｔｅｒ  Ｒｅｌａｔｅｄ  Ｍｅｓｓａｇｉｎｇ  Ｓｅｒｖｉｃｅ）が提供される。インターネット等のネットワークを介したサーバーとの通信による特定実物キャラクター型動画像情報物のメッセージング技術により，実物キャラクター型動画像情報物に関する情報を，画面上に表示される吹き出し（言葉風船）内に表示して表現できる。本実施形態にかかる実物キャラクター型動画像情報物には，例えば，ＭＰ３ベースのオーディオ情報と，吹き出し内に表示されるＸＭＬベースのテキスト，図表情報などが含まれており，これらの情報はユーザコンピュータで出力される。
【００８３】
図５ａは，モーション実物キャラクター型動画像情報物７１，通知用の実物キャラクター型動画像情報物７２，プラグイン実物キャラクター型動画像情報物７３などを含んだ本実施形態にかかる実物キャラクター型動画像情報物クリップの基本構成を示す説明図である。
【００８４】
本実施形態にかかるシステムは，モーションクリップ（ｍｏｔｉｏｎ  ｃｌｉｐ）とＭＰ３音楽，実時間メッセージ及び字幕（ｃａｐｔｉｏｎ）等を含むモーション実物キャラクター型動画像情報物７１，通知用の実物キャラクター型動画像情報物７２，プラグイン実物キャラクター型動画像情報物７３などを含むマルチメディアディジタルコンテンツを再生して，ユーザのパーソナルコンピュータのバックラウンド画面上に，特定した規則によって多様に表現する。このシステムは，実物キャラクター型動画像情報物を構成するモーション，音楽および字幕の３つの主要なデータファイルの同期機能を提供するため，モーションデータ，オーディオデータ，テキストメッセージをＭｕｓｉｃ  Ｔｉｍｅ  Ｌｉｎｅに合わせて実時間で同期し（Ｒｅａｌｔｉｍｅ  Ｄａｔａ  Ｓｙｎｃ），同時に上記モーションプレーヤー（８０）によって上記多様な実物キャラクター型動画像情報物のマルチメディアディジタルコンテンツを，再生して，ユーザに鑑賞させることができる。
【００８５】
上記実物キャラクター型動画像情報物には，図５ａに図示されたように，テーマクリップと，ショウクリップとを含むモーション実物キャラクター型動画像情報物（ｍｏｔｉｏｎ  ｃｈａｒａｃｔｅｒ）；メッセージ到着，メッセージ受信，プログラム開始，プログラム終了，電子メール到着表示等の電子メール（Ｅｍａｉｌ）チェックとメッセージ受信をユーザに通知するための通知用の実物キャラクター型動画像情報物；各種メッセンジャーと連動される実物キャラクター型動画像情報物；ウィンアンプ（ＷｉｎＡｍｐ）再生の時に出力されるプラグイン実物キャラクター型動画像情報物；などを含むマルチメディアディジタルコンテンツを，多様な実物キャラクター型動画像情報物のモーション，音楽，字幕を同期（ｓｙｎｃ）しつつ，上記モーションプレーヤー（８０）によって再生してユーザＰＣのバックラウンド画面上に表示できる。
【００８６】
上記モーション実物キャラクター型動画像情報物としては，例えば，特別な個人技や見所を見せる公演の概念を有するショウクリップが提供される。
【００８７】
上記通知用の実物キャラクター型動画像情報物は，例えば，メッセージが到着したことを知らせるメッセージ到着実物キャラクター型動画像情報物，到着したメッセージの内容を見るとき，メッセージに該当する実物キャラクター型動画像情報物を出力するメッセージ受信実物キャラクター型動画像情報物，コンピュータの起動時や特定プログラムの開始時などに出力されるプログラム開始実物キャラクター型動画像情報物，上記コンピュータの終了時や，特定のプログラムの終了時に出力されるプログラム終了実物キャラクター型動画像情報物，電子メールが到着したことを知らせる電子メール実物キャラクター型動画像情報物など含む。
【００８８】
上記プラグイン実物キャラクター型動画像情報物は，例えば，メッセンジャー（Ｍｅｓｓｅｎｇｅｒ）の通知機能と取り替えられ，メッセンジャーと連動されるメッセンジャー実物キャラクター型動画像情報物と，ウィンアンプ（ＷｉｎＡｍｐ）の再生時に出力されるウィンアンプ実物キャラクター型動画像情報物などを含む。
【００８９】
図５ｂは，実物キャラクター型動画像情報物（ｃｈａｒａｃｔｅｒ）の基本形態を示す画面であり，図５ｃは，モーション実物キャラクター型動画像情報物を示す画面であり，図５ｄは，メッセージ到着実物キャラクター型動画像情報物を示す画面であり，図５ｅは，メッセージ実物キャラクター型動画像情報物を示す画面であり，図５ｆは，プログラム開始実物キャラクター型動画像情報物を示す画面であり，図５ｇは，プログラム終了実物キャラクター型動画像情報物を示す画面であり，図５ｈは，電子メール実物キャラクター型動画像情報物を示す画面であり，図５ｉは，メッセンジャー通知用の実物キャラクター型動画像情報物を示す画面である。
【００９０】
図５ｂを参照すれば，実物キャラクター型動画像情報物の基本形態は，コンピュータのバッグラウンド画面の作業表示ラインの上部に実物キャラクター型動画像情報物が出力され，この実物キャラクター型動画像情報物は，バッグラウンド画面のいずれの箇所にもドラッグ（ｄｒａｇ）が可能であり，上記作業表示ラインのトレイアイコンが生成され，このアイコンをダブルクリックした時，実物キャラクター型動画像情報物の停止／再生がトグル（切り替え）される。上記作業表示ラインのアイコン或は実物キャラクター型動画像情報物をマウスの右側ボタンでクリックした時，実物キャラクター型動画像情報物の設定，操作等に関するメニューが生成されて表示される。実物キャラクター型動画像情報物領域サイズは，例えば，３２０×２４０ピクセル（ｐｉｘｅｌ），実物キャラクター型動画像情報物のサイズは，例えば，１３０〜１８０ピクセルの大きさで形成される。
【００９１】
図５ｃを参照すれば，上記モーション実物キャラクター型動画像情報物（ｃｈａｒａｃｔｅｒ）は，上記モーションプレーヤー（８０）を実行したときに，プログラム開始用の実物キャラクター型動画像情報物の次に出現する実物キャラクター型動画像情報物である。このモーション実物キャラクター型動画像情報物は，１〜２分間の動作とＭＰ３サウンド（音元）が同時に実行される実物キャラクター型動画像情報物である。選択された上記モーション実物キャラクター型動画像情報物が，設定（位置及び周期）に合わせて順次に出力される。実物キャラクター型動画像情報物を多重選択することができる。
【００９２】
図５ｄを参照すれば，上記メッセージ到着実物キャラクター型動画像情報物（ｃｈａｒａｃｔｅｒ）は，上記モーション実物キャラクター型動画像情報物の実行中でない時，メッセージの到着を知らせる実物キャラクター型動画像情報物である。上記メッセージ到着実物キャラクター型動画像情報物と共に到着メッセージが出力され，１０秒程度の時間で動作とサウンド（音声）が同時に実行される実物キャラクター型動画像情報物である。選択されたメッセージ到着実物キャラクター型動画像情報物が出力され，１つの実物キャラクター型動画像情報物のみを選択して設定できる。この時，上記モーション実物キャラクター型動画像情報物実行中であるとき，アイコン（ｉｃｏｎ）のみが点滅し，アイコンをクリックした時，上記メッセージ到着実物キャラクター型動画像情報物が出力される。
【００９３】
図５ｅを参照すれば，上記メッセージ実物キャラクター型動画像情報物（ｃｈａｒａｃｔｅｒ）は，１０秒程度の時間にわたり，メッセージ内容確認の時に，動作が実行される実物キャラクター型動画像情報物である。例えば，メッセージ内容が芸能情報である場合，基本メッセージ実物キャラクター型動画像情報物を出力し，メッセージ内容がアイドル情報（芸能人上方）の場合，該当アイドルメッセージ実物キャラクター型動画像情報物を出力するといったように，選択されたメッセージに該当される実物キャラクター型動画像情報物を出力する。また，メッセージ実物キャラクター型動画像情報物は，メッセージの保管，削除，及び詳細閲覧機能を有しており，メッセージ保管箱に保管する保管機能と，メッセージ保管箱に保管しない削除機能，及びウェブサイト該当ページにリンクされる詳細閲覧機能が提供される。
【００９４】
図５ｆを参照すれば，上記プログラム開始実物キャラクター型動画像情報物（ｃｈａｒａｃｔｅｒ）は，再生プログラムの一例である上記モーションプレーヤー（８０）を実行開始した時に出力される実物キャラクター型動画像情報物である。１０秒程度の時間のわたり，動作とサウンド（音声）が同時に実行される。コンピュータの起動と同時に，モーションプレーヤーが動作開始されると，選択されたモーション実物キャラクター型動画像情報物が出力される。１つの実物キャラクター型動画像情報物のみを設定できる。
【００９５】
図５ｇを参照すれば，上記プログラム終了実物キャラクター型動画像情報物（ｃｈａｒａｃｔｅｒ）は，上記モーションプレーヤーを終了した時に出力される実物キャラクター型動画像情報物である。１０秒程度の時間で，動作とサウンド（音声）が同時に実行される。モーションプレーヤーが動作終了すると，選択されたモーション実物キャラクター型動画像情報物が出力される。１つの実物キャラクター型動画像情報物のみを設定できる。
【００９６】
図５ｈを参照すれば，上記電子メール実物キャラクター型動画像情報物（ｃｈａｒａｃｔｅｒ）は，電子メール（Ｅｍａｉｌ）を受信した時に出力される実物キャラクター型動画像情報物である，１０秒程度の時間にわたり，動作とサウンドが同時に実行される。電子メール到着時に選択されたモーション実物キャラクター型動画像情報物が出力される。１つの実物キャラクター型動画像情報物のみを設定できる。
【００９７】
図５ｉを参照すれば，上記メッセンジャー通知用の実物キャラクター型動画像情報物（ｃｈａｒａｃｔｅｒ）は，１０秒程度の時間にわたり，メッセンジャー（Ｍｅｓｓｅｎｇｅｒ）と共に実行される実物キャラクター型動画像情報物であり，メッセンジャーの通知ボックスと代替される実物キャラクター型動画像情報物である。例えば，メッセンジャーにおけるメッセージ操作時（受信時，発信時など）に，選択されたモーション実物キャラクター型動画像情報物が出力される。１つの実物キャラクター型動画像情報物のみを設定できる。
【００９８】
上記多様な実物キャラクター型動画像情報物は，透明度調節機能，出現位置調整機能，出現周期設定機能，サーバーとの通信に基づくメッセージング機能，コンテンツ保安機能，電子メールチェック機能，及びＦａｄｅ  Ｉｎ／Ｏｕｔ機能などを提供する。
【００９９】
図６を参照すれば，実物キャラクター型動画像情報物再生器である上記モーションプレーヤー（８０）のメニューは，終了コマンドと；プログラム及び会員情報と；実物キャラクター型動画像情報物追加／選択／オプションコマンドと；字幕／サウンド／実物キャラクター型動画像情報物隠しコマンドと；前の実物キャラクター型動画像情報物／次の実物キャラクター型動画像情報物コマンドと；を含む。
【０１００】
プログラム及び会員情報コマンドは，プログラムアップデートと，プログラムヘルプウェブページに連結されるヘルプと，会員ログインに関する会員情報とを含む。実物キャラクター型動画像情報物追加／選択／オプションコマンドは，ウェブサイトへの接続による実物キャラクター型動画像情報物のダウンロードと；実物キャラクター型動画像情報物の選択／オプション設定ウィンドウを含む。字幕／サウンド／実物キャラクター型動画像情報物隠しコマンドは，字幕表示／非表示トグル（切り替え），サウンドオン／オフトグル，および実物キャラクター型動画像情報物表示／非表示トグルを含む。
【０１０１】
図７ａは，本実施形態の一例として具現されたモーションプレーヤー（８０）の初期画面であり，図７ｂは，具現されたモーションプレーヤー（８０）における実物キャラクター型動画像情報物の選択画面であり，図７ｃは，具現されたモーションプレーヤー（８０）におけるプレーヤーオプション画面であり，図７ｄは，具現されたモーションプレーヤー（８０）におけるプレーヤー情報画面であり，図７ｅは，具現されたモーションプレーヤーの会員情報及びＰＯＰ３サーバーリスト画面を示す。
【０１０２】
図７ａを参照すれば，実物キャラクター型動画像情報物のグループは，モーション実物キャラクター型動画像情報物クリップと，通知用クリップと，プラグイン用クリップとの大きく３つに分類されている。実物キャラクター型動画像情報物の選択は，タブバー（ｔａｂ  ｂａｒ）を利用して，実物キャラクター型動画像情報物グループ別リストを選択できる。
【０１０３】
画面右側における実物キャラクター型動画像情報物リストは，現在ユーザが所有している実物キャラクター型動画像情報物のリストであり，左側は，再生リストである。実物キャラクター型動画像情報物の選択と解除は，該当実物キャラクター型動画像情報物の名前をダブルクリックすれば，該当実物キャラクター型動画像情報物を再生リストに追加や削除することが可能である。
【０１０４】
図７ｂに示すように，上記モーションプレーヤー（８０）の実物キャラクター型動画像情報物の選択画面では，左側カテゴリと連動される実物キャラクター型動画像情報物のリストが表示されている。ユーザは，この選択画面上で，上記モーション実物キャラクター型動画像情報物，上記通知用の実物キャラクター型動画像情報物，上記プラグイン実物キャラクター型動画像情報物のうちからいずれか１を選択し，所有している実物キャラクター型動画像情報物リストで，実物キャラクター型動画像情報物グループ別に整列された右側実物キャラクター型動画像情報物のリストから実物キャラクター型動画像情報物を選択した後に登録する。また，プログラム開始実物キャラクター型動画像情報物と，メッセージ到着実物キャラクター型動画像情報物，電子メール実物キャラクター型動画像情報物を設定できる。例示では，上記通知用の実物キャラクター型動画像情報物として，私のプログラム開始時に，「李ヒョリ（韓国の有名な歌手の名前）」インタビュー実物キャラクター型動画像情報物が設定されている。
【０１０５】
図７ｃに示すように，上記モーションプレーヤー（８０）の実物キャラクター型動画像情報物オプション画面では，アイコンクリックによる，連続再生，時間設定を含む周期設定項目と，左側，右側，位置移動可能コンボボックス選択を含む位置設定項目と，電子メール到着時の通知，半透明，サウンドオフ，字幕オフのコンボボックス選択を含むその他の項目と，を含む。この時，サーバー，ポート番号，計定，秘密番号を含むメール計定の追加及び削除が可能なＰＯＰ３サーバーリストを含む。
【０１０６】
図７ｄに示すように，上記モーションプレーヤー（８０）のプレーヤー情報画面は，プレーヤー情報とプレーヤーアップデート及びユーザ情報などを含む。
【０１０７】
図８ａは，上記モーションプレーヤー（８０）のデータベース構造のうち，ユーザ認証に必要なユーザ情報を保有するユーザテーブル（Ｕｓｅｒ  Ｔａｂｌｅ）を示し，図８ｂは，実物キャラクター型動画像情報物単位のグループのためのグループテーブル（Ｇｒｏｕｐ  Ｔａｂｌｅ）を示し，図８ｃは，ユーザが属したグループ及び権限のためのグループリレーテーブル（Ｇｒｏｕｐ＿Ｒｅｌａｙ  Ｔａｂｌｅ）であり，図８ｄは，モーションプレーヤーに必要なデータベースのメッセージ（Ｍｅｓｓａｇｅ）のためのメッセージテーブル（Ｍｅｓｓａｇｅ  Ｔａｂｌｅ）を示す。上記モーションプレーヤー（８０）では，このようなユーザテーブル，グループテーブル，グループリレーテーブルおよびメッセージテーブルを含むデータベースが構築されている。
【０１０８】
図８ａを参照すれば，上記ユーザテーブルには，主キー（Ｐｒｉｍａｒｙ  Ｋｅｙ）であるユーザＩＤ（Ｕｓｅｒ＿ｉｄ）およびパスワード（Ｐａｓｓｗｏｒｄ）等の属性（ａｔｔｒｉｂｕｔｅ）を含む。
【０１０９】
図８ｂを参照すれば，上記グループテーブルには，主キー（Ｐｒｉｍａｒｙ  Ｋｅｙ）であるグループＩＤ（Ｇｒｏｕｐ＿ｉｄ），グループ名（Ｇｒｏｕｐ＿ｎａｍｅ），およびグループ生成日（Ｃｒｅａｔｅ＿ｄａｔｅ）等の属性（ａｔｔｒｉｂｕｔｅ）を含む。
【０１１０】
図８ｃを参照すれば，上記グループリレーテーブルには，ユーザＩＤ（Ｕｓｅｒ＿ｉｄ），グループＩＤ（Ｇｒｏｕｐ＿ｉｄ），グループに対する権限（Ｇｒａｄｅ）等の属性（ａｔｔｒｉｂｕｔｅ）を含む。
【０１１１】
図８ｄを参照すれば，上記メッセージテーブル（Ｍｅｓｓａｇｅ  Ｔａｂｌｅ）には，主キー（ＰｒｉｍａｒｙＫｅｙ）であるメッセージＩＤ（Ｍｅｓｓａｇｅ＿ｉｄ）と，ユーザＩＤ（Ｕｓｅｒ＿ｉｄ），グループＩＤ（Ｇｒｏｕｐ＿ｉｄ），生成日（Ｃｒｅａｔｅ＿ｄａｔｅ），有効期限日（Ｅｘｐｉｒｅ＿ｄａｔｅ），題目（Ｓｕｂｊｅｃｔ），内容（Ｍｅｓｓａｇｅ）等の属性（ａｔｔｒｉｂｕｔｅ）を含む。
【０１１２】
上記実物キャラクター型動画像情報物のダウンロードは，まず，サーバーが，ログインするユーザの会員認証をチェックするため，上記ユーザテーブルに保存されているユーザＩＤ（Ｕｓｅｒ＿ｉｄ）とパスワード（Ｐａｓｓｗｏｒｄ）をチェックして，当該ユーザが会員である否かを認証する。次いで，認証されると，実物キャラクター型動画像情報物が選択された後に，ユーザＩＤ（Ｕｓｅｒ＿ｉｄ），グループＩＤ（Ｇｒｏｕｐ＿ｉｄ），グループに対する権限（Ｇｒａｄｅ）に関する情報を上記Ｇｒｏｕｐ＿Ｒｅｌａｙテーブルに保存する。その後，クライアント（ユーザのコンピュータ）に上記選択した実物キャラクター型動画像情報物をダウンロードする。
【０１１３】
上記メッセージ発送の場合は，サーバーが，ログインするユーザの会員認証をチェックするため，上記ユーザテーブルに保存されているユーザＩＤ（Ｕｓｅｒ＿ｉｄ）とパスワード（Ｐａｓｓｗｏｒｄ）をチェックして，当該ユーザが会員であると認証した後に，メッセージ発送権限があるかどうかをチェックするため，Ｇｒｏｕｐ＿Ｒｅｌａｙテーブルに貯蔵されたユーザＩＤ（Ｕｓｅｒ＿ｉｄ）とユーザに属したグループのグループＩＤ（Ｇｒｏｕｐ＿ｉｄ）とで権限をチェックして，メッセージ発送権限があれば，上記メッセージテーブルにメッセージを入力する。
【０１１４】
図９は，本実施形態にかかるモーションプレーヤー（８０）の設置時に，モーションプレーヤー（８０）実行画面を示している。モーションプレーヤー（８０）を実行する場合，バックグラウンド画面の下段の右側にあるＶプレーヤートレイアイコンをマウスで右クリックすれば，メニューが表示され，このメニューでモーションプレーヤー（８０）のすべてを制御できる。
【０１１５】
プレーヤー実行オプションは，まず，周期設定を通じて実物キャラクター型動画像情報物プレーの実行周期を選択し，次いで，バッグラウンド画面上で実物キャラクター型動画像情報物が出る位置を設定する，そして，ｐｏｐ３メール設定により，メール通知と（Ｖｓｔａｒ）自体メッセージングサービス等を行うことができ，その他オプション設定により，ユーザの好みによって再生できる。
【０１１６】
したがって，ユーザのコンピュータのバッグラウンド画面で再生することによって，コンピュータ作業中にモーション実物キャラクター型動画像情報物，通知用の実物キャラクター型動画像情報物，プラグイン実物キャラクター型動画像情報物等の多様な実物キャラクター型動画像情報物（ｃｈａｒａｃｔｅｒ）らのモーションと音楽及び字幕が同期（ｓｙｎｃ）されて同時に出力され，ユーザはこれらを鑑賞できる。
【０１１７】
上述したように，本実施形態にかかるコンピュータバッグラウンド画面に多様な実物キャラクター型動画像情報物のモーション，音楽及び字幕を再生する方法及びシステムは，新しい形態の感性形実物キャラクター型動画像情報物サービスとして，モーションプレーヤー（８０）によって，クリップされた人物等の動画であるモーションクリップ（ｍｏｔｉｏｎ  ｃｌｉｐ）と，音楽と，ポップアップ字幕（ｃａｐｔｉｏｎ）とを同時にユーザのＰＣのバッグラウンド画面で再生することができる。これによって，コンピュータ作業中に，モーション実物キャラクター型動画像情報物，通知用の実物キャラクター型動画像情報物，プラグイン実物キャラクター型動画像情報物等の多様な実物キャラクター型動画像情報物のモーションと音楽及び字幕を同期して同時に再生出力でき，ユーザは自己の好みに応じてこれらを鑑賞できるという効果がある。
【０１１８】
また，動画像の特定領域を透過させた実物型２Ｄ実物キャラクター型動画像情報物，ＭＰ３音楽，実時間メッセージ，及び字幕等を含むモーション実物キャラクター型動画像情報物，メッセージ到着，メッセージ受信，プログラム開始，プログラム終了，電子メール到着を表示する通知用の実物キャラクター型動画像情報物，各種メッセンジャーと連動される実物キャラクター型動画像情報物，及びウィンアンプ再生時に出力されるプラグイン実物キャラクター型動画像情報物などを含んだマルチメディアディジタルコンテンツを，コンピュータ作業中に再生して，ユーザは多様な実物キャラクター型動画像情報物のモーションと音楽及び字幕を同時に鑑賞できる。
【０１１９】
また，上記コンポーザー（Ｃｏｍｐｏｓｅｒ）によって生成されたモーションクリップは，字幕情報とオーディオ情報とともに貯蔵されており，非常に容易に再生でき，教育，成人，エンタテインメト，ソフトウェアプラグイン等の多様な分野に移植可能である。既存のアイドルマーケティングのチャンネルをさらに１次元拡張した新しい概念のアイドルマーケティングチャンネルで利用されると思われる。また，アイドル実物キャラクター型動画像情報物の実物映像２Ｄ実物キャラクター型動画像情報物サービス，声や歌等の音楽サービス，歌詞や便り等のテキストサービスを中心に，レジャー及びエンタテインメントコンテンツ，教育用コンテンツに活用できるし，各種広告及び文化情報，医療コンテンツとしても活用可能である。
【０１２０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１２１】
例えば，上記映像情報（動画像情報），オーディオ情報（音楽情報等），字幕情報，メッセジ情報等を含む実物キャラクター型動画像情報物が記録されたコンピュータ読み取り可能な記録媒体（ハードディスク，メモリ，リムーバブル記録媒体）や，当該実物キャラクター型動画像情報物を再生する再生プログラム（クリップモーション８０等），および当該プログラムが記録されたコンピュータ読み取り可能な記録媒体も，本発明の技術的範囲に含まれる。
【図面の簡単な説明】
【０１２２】
【図１ａ】本発明の第１の実施形態にかかる実物キャラクター型動画像情報物の制作方法を示すフローチャートである。
【図１ｂ】同実施形態にかかる実物キャラクター型動画像情報物の再生方法を示すフローチャートである。
【図２】同実施形態にかかる実物キャラクター型動画像情報物を制作するためのソフトウェアと，制作された実物キャラクター型動画像情報物を再生するためのソフトウェアを含むソフトウェアシステムの構成を示すブロック図である。
【図３ａ】同実施形態にかかるソフトウェアシステムにおいて，モーションクリップ字幕，ＭＰ３音楽の３つのデータファイルを，音楽時間線に合わせて，リアルタイムで同期させて再生することを示す説明図である。
【図３ｂ】同実施形態にかかるモーションプレーヤーの初期画面である。
【図３ｃ】同実施形態にかかるモーションプレーヤーの機能設定画面である。
【図３ｄ】同実施形態にかかるモーションプレーヤーにおいて，ダウンロードされた実物キャラクター型動画像情報物の情報及びプレーヤー情報表示画面である。
【図４ａ】同実施形態にかかるビットマップマスク方式のモーションプレーヤーによってマスクした映像データから動的客体を抽出するためのマスク領域抽出及びデータ化を説明する説明図である。
【図４ｂ】同実施形態にかかる動的客体の実際領域を各フレーム別にデータ化した画面である。
【図４ｃ】同実施形態にかかるアルファチャンネル方式のモーションプレーヤーによる，２４ビットＲＧＢ映像と８ビットアルファ映像とのデータ合成画面である。
【図４ｄ】同実施形態にかかる３２ビットウィンドウレンダリングによるアンチエイリアシング処理画面である。
【図５ａ】同実施形態にかかる実物キャラクター型動画像情報物クリップの基本構成を示す説明図である。
【図５ｂ】同実施形態にかかる実物キャラクター型動画像情報物の基本形態を示す画面である。
【図５ｃ】同実施形態にかかるモーション実物キャラクター型動画像情報物を示す画面である。
【図５ｄ】同実施形態にかかるメッセージ到着実物キャラクター型動画像情報物を示す画面である。
【図５ｅ】同実施形態にかかるメッセージ実物キャラクター型動画像情報物を示す画面である。
【図５ｆ】同実施形態にかかるプログラム開始実物キャラクター型動画像情報物を示す画面である。
【図５ｇ】同実施形態にかかるプログラム終了実物キャラクター型動画像情報物を示す画面である。
【図５ｈ】同実施形態にかかる電子メール実物キャラクター型動画像情報物を示す画面である。
【図５ｉ】同実施形態にかかるメッセンジャー通知用の実物キャラクター型動画像情報物を示す画面である。
【図６】同実施形態にかかるモーションプレーヤーのメニュー画面である。
【図７ａ】同実施形態にかかるモーションプレーヤーの初期画面である。
【図７ｂ】同実施形態にかかるモーションプレーヤーの実物キャラクター型動画像情報物選択画面である。
【図７ｃ】同実施形態にかかるモーションプレーヤーのプレーヤーオプション画面である。
【図７ｄ】同実施形態にかかるモーションプレーヤーのプレーヤー情報画面である。
【図７ｅ】同実施形態にかかるモーションプレーヤーの会員情報及びＰＯＰ３サーバーリスト画面である。
【図８ａ】同実施形態にかかるモーションプレーヤーで必要なデータベースのユーザテーブルを示す説明図である。
【図８ｂ】同実施形態にかかるモーションプレーヤーで必要なデータベースのグループテーブルを示す説明図である。
【図８ｃ】同実施形態にかかるモーションプレーヤーで必要なデータベースのグループリレーテーブルを示す説明図である。
【図８ｄ】同実施形態にかかるモーションプレーヤーで必要なデータベースのメッセージテーブルを示す説明図である。
【図９】同実施形態にかかるモーションプレーヤー設置時におけるプレーヤー実行画面である。
【符号の説明】
【０１２３】
１０：コンポーザー（Ｃｏｍｐｏｓｅｒ）
２０：字幕生成部
３０：動画像情報（映像情報）
４０：オーディオ情報
５０：字幕情報
６０：メタファイル
７０：実物キャラクター型動画像情報物
８０：実物キャラクター型動画像情報物再生部（モーションプレーヤー）
【図１ａ】
2005228297.tif 000005
【図１ｂ】
2005228297.tif 000006
【図２】
2005228297.tif 000007
【図３ａ】
2005228297.tif 000008
【図３ｂ】
2005228297.tif 000009
【図３ｃ】
2005228297.tif 000010
【図３ｄ】
2005228297.tif 000011
【図４ａ】
2005228297.tif 000012
【図４ｂ】
2005228297.tif 000013
【図４ｃ】
2005228297.tif 000014
【図４ｄ】
2005228297.tif 000015
【図５ａ】
2005228297.tif 000016
【図５ｂ】
2005228297.tif 000017
【図５ｃ】
2005228297.tif 000018
【図５ｄ】
2005228297.tif 000019
【図５ｅ】
2005228297.tif 000020
【図５ｆ】
2005228297.tif 000021
【図５ｇ】
2005228297.tif 000022
【図５ｈ】
2005228297.tif 000023
【図５ｉ】
2005228297.tif 000024
【図６】
2005228297.tif 000025
【図７ａ】
2005228297.tif 000026
【図７ｂ】
2005228297.tif 000027
【図７ｃ】
2005228297.tif 000028
【図７ｄ】
2005228297.tif 000029
【図７ｅ】
2005228297.tif 000030
【図８ａ】
2005228297.tif 000031
【図８ｂ】
2005228297.tif 000032
【図８ｃ】
2005228297.tif 000033
【図８ｄ】
2005228297.tif 000034
【図９】
2005228297.tif 000035